(57)【特許請求の範囲】
【請求項１】
炭素数が１６〜２２であり、少なくとも１個の４級炭素を有し、該４級炭素が２個のアルキル基を有するか、アルキル基とビニル基とを有する長鎖二塩基酸およびその塩を少なくとも一種含有する電解液用組成物を含有する、電解コンデンサ駆動用電解液であって、
該長鎖二塩基酸が、６−メチル−６−ビニル−ドデカン−１，１２−ジカルボン酸、７，８−ジメチル−７，８−ジビニル−テトラデカン−１，１４−ジカルボン酸、７，１０−ジメチル−７−ビニル−９−ヘキサデセン−１，１６−ジカルボン酸、６−メチル−６−エチル−ドデカン−１，１２−ジカルボン酸、７，８−ジメチル−７，８−ジエチル−テトラデカン−１，１４−ジカルボン酸、または７，１０−ジメチル−７−エチルヘキサデカン−１，１６−ジカルボン酸である、電解コンデンサ駆動用電解液。
【請求項２】
前記電解液中に、６―メチル−６−ビニル−ドデカン−１，１２−ジカルボン酸および／またはそのアンモニウム塩、７，８−ジメチル−７，８−ジビニル−テトラデカン−１，１４−ジカルボン酸および／またはそのアンモニウム塩、ならびに７，１０−ジメチル−７−ビニル−９−ヘキサデセン−１，１６−ジカルボン酸および／またはそのアンモニウム塩からなる群から選択される少なくとも一種が０．５〜３０重量％含有されている、請求項１に記載の電解コンデンサ駆動用電解液。
【請求項３】
前記６―メチル−６−ビニル−ドデカン−１，１２−ジカルボン酸および／またはそのアンモニウム塩、７，８−ジメチル−７，８−ジビニル−テトラデカン−１，１４−ジカルボン酸および／またはそのアンモニウム塩、ならびに７，１０−ジメチル−７−ビニル−９−ヘキサデセン−１，１６−ジカルボン酸および／またはそのアンモニウム塩が、これらの化合物の合計量に対して、６〜１０重量％：６〜１０重量％：８０〜８８重量％の割合で含まれている、請求項２に記載の電解コンデンサ駆動用電解液。
【請求項４】
前記電解液中に、６−メチル−６−エチル−ドデカン−１，１２−ジカルボン酸および／またはそのアンモニウム塩、７，８−ジメチル−７，８−ジエチル−テトラデカン−１，１４−ジカルボン酸および／またはそのアンモニウム塩、ならびに７，１０−ジメチル−７−エチルヘキサデカン−１，１６−ジカルボン酸および／またはそのアンモニウム塩からなる群から選択される少なくとも一種が０．５〜３０重量％含有されている、請求項１に記載の電解コンデンサ駆動用電解液。
【請求項５】
前記６−メチル−６−エチル−ドデカン−１，１２−ジカルボン酸および／またはそのアンモニウム塩、７，８−ジメチル−７，８−ジエチル−テトラデカン−１，１４−ジカルボン酸および／またはそのアンモニウム塩、ならびに７，１０−ジメチル−７−エチルヘキサデカン−１，１６−ジカルボン酸および／またはそのアンモニウム塩が、これらの化合物の合計量に対して、６〜１０重量％：６〜１０重量％：８０〜８８重量％の割合で含まれている、請求項４に記載の電解コンデンサ駆動用電解液。
【発明の詳細な説明】
【０００１】
【発明の属する技術分野】
本発明は、電解コンデンサ、特に中高圧用電解コンデンサに好適な駆動用電解液及びその電解液に用いる溶質、その溶質を含有する電解液用組成物に関する。
【０００２】
【従来の技術】
従来の電解コンデンサ駆動用電解液、特に中高圧電解液としては、エチレングリコールを主体とした溶液にホウ酸またはホウ酸アンモニウム塩を電解質として添加されたものが使用されている。ホウ酸の様な電解液はエチレングリコールと反応して多量の縮合水を生成し、電解液系内の水分含有量が高くなる。従って、１００℃を超える使用温度条件下でホウ酸系の電解液を使用すると、電解液中の水が水蒸気となって蒸発し、それに伴って電解コンデンサのパッケージ内の内圧が上昇し、破壊が生じるのを避け得ないと言う問題点を有している。この様な欠点を改良する為に、溶質として直鎖型飽和二塩基酸またはその塩を含有する電解液が用いられるようになった。
【０００３】
しかし、直鎖型飽和二塩基酸は、エチレングリコール等の溶媒に対する溶解性が低いために、低温で直鎖型飽和二塩基酸が結晶として析出し易く、それ故に過大電流が生じコンデンサの低温特性を劣化させるという欠点を免れ得なかった。
【０００４】
そこで、近年分岐型飽和または不飽和長鎖二塩基酸、例えば、７−メチル−テトラデカン−１，１４−ジカルボン酸（特開昭５７−２７０１３号公報、特公昭６３−５４２０９号公報、特公昭６２−１１７６５号公報、特公昭６２−８００５号公報、特公昭６２−７６８４号公報、特開昭６２−２５４４１６号公報、特開昭６４−３１４０８号公報）、７，１２−ジメチル−オクタデカン−１，１８−ジカルボン酸、（特開昭５７−２７０１３号公報、特公昭６３−５４２０９号公報、特公昭６２−１１７６５号公報、特公昭６２−８００５号公報、特公昭６２−７６８４号公報、特開昭６２−２５４４１６号公報）、７，１２−ジメチル−７，１１−オクタデカジエン−１，１８−ジカルボン酸、７−メチル−７−テトラデセン−１，１４−ジカルボン酸（特開昭５７−２７０１３号公報、特公昭６３−５４２０９号公報、特公昭６２−１１７６５号公報、特公昭６２−８００５号公報、特公昭６２−７６８４号公報、特開昭６２−２５４４１６号公報、特開昭６４−３１４０８号公報）、および、７−ビニル−９−ヘキサデセン−１，１６−ジカルボン酸（特開平４−１８６７１３号公報）等の二塩基酸やその塩を溶質として使用する試みがなされている。
【０００５】
このような分岐型不飽和二塩基酸またはその塩のエチレングリコール等の溶媒に対する溶解度は、前述の直鎖型飽和二塩基酸またはその塩のそれに比し、改良されているため、有用である。特に、７−ビニル−９−ヘキサデセン−１，１６−ジカルボン酸（特開平４−１８６７１３号公報）の二塩基酸やその塩は、中圧領域を凌駕する高い耐電圧を有する電気的特性を有する特異な電解液である。これは、分岐置換されたビニル基がアルミニウム電極箔との錯体形成能力が非常に高いのが大きな要因である。
【０００６】
しかし、上述した分岐型不飽和二塩基酸またはその塩を用いた場合、高温度雰囲気中ではある程度信頼性が確保されているが、低温度での溶解性を改善する余地が残されている。
【０００７】
そこで、低温度での溶解性を改善することができれば、使用温度領域の拡大につながるとともに、中高圧系のコンデンサとしても使用することができるため、より一層の低温度での溶解性の改善が望まれているのが現状である。
【０００８】
【発明が解決しようとする課題】
本発明は、低温度での溶解性をさらに改善し、中高圧系のコンデンサとしても使用することができるような電解コンデンサ駆動用電解液を提供することを目的とする。
【０００９】
【課題を解決するための手段】
かかる現状に鑑み、本発明者等は鋭意研究した結果、少なくとも１個の４級炭素を有し、該４級炭素が２個のァルキル基を有するか、アルキル基とビニル基とを有する、炭素数１６〜２２の直鎖長鎖二塩基酸が、低温度での溶解性を向上させ、かつ中高圧コンデンサとしても有用であることを見出して、本発明を完成させた。
【００１０】
本発明は、炭素数が１６〜２２であり、少なくとも１個の４級炭素を有し、該４級炭素が２個のァルキル基を有するか、アルキル基とビニル基とを有する、長鎖二塩基酸またはその塩に関する。
【００１１】
好ましい実施態様においては、前記長鎖二塩基酸が、６−メチル−６−ビニル−ドデカン−１，１２−ジカルボン酸（以下、化合物１ということがある）、７，８−ジメチル−７，８−ジビニル−テトラデカン−１，１４−ジカルボン酸（以下、化合物２ということがある）、７，１０−ジメチル−７−ビニル−９−ヘキサデセン−１，１６−ジカルボン酸（以下、化合物３ということがある）、６−メチル−６−エチル−ドデカン−１，１２−ジカルボン酸（以下、化合物４ということがある）、７，８−ジメチル−７，８−ジエチル−テトラデカン−１，１４−ジカルボン酸（以下、化合物５ということがある）、または、７，１０−ジメチル−７−エチルヘキサデカン−１，１６−ジカルボン酸（以下、化合物６ということがある）、である。
【００１２】
また、本発明は、前記長鎖二塩基酸および／またはその塩を少なくとも一種含有する、電解液用組成物に関する。
【００１３】
好ましい実施態様では、電解液用組成物に用いられる二塩基酸の塩がアンモニウム塩である。
【００１４】
また、好ましい実施態様においては、電解液用組成物に用いられる長鎖二塩基酸および／またはその塩がエチレングリコールに溶解されている。
【００１５】
さらに本発明は、前記電解液用組成物を含有する電解コンデンサ駆動用電解液に関する。
【００１６】
好ましい実施態様においては、前記電解液中に、６―メチル−６−ビニル−ドデカン−１，１２−ジカルボン酸（化合物１）および／またはそのアンモニウム塩、７，８−ジメチル−７，８−ジビニル−テトラデカン−１，１４−ジカルボン酸（化合物２）および／またはそのアンモニウム塩、７，１０−ジメチル−７−ビニル−９−ヘキサデセン−１，１６−ジカルボン酸（化合物３）および／またはそのアンモニウム塩が０．５〜３０重量％含有されている。
【００１７】
好ましい実施態様においては、前記６―メチル−６−ビニル−ドデカン−１，１２−ジカルボン酸（化合物１）および／またはそのアンモニウム塩、７，８−ジメチル−７，８−ジビニル−テトラデカン−１，１４−ジカルボン酸（化合物２）および／またはそのアンモニウム塩、７，１０−ジメチル−７−ビニル−９−ヘキサデセン−１，１６−ジカルボン酸（化合物３）および／またはそのアンモニウム塩が、これらの化合物の合計量に対して、６〜１０重量％：６〜１０重量％：８０〜８８重量％の割合で含まれている。
【００１８】
好ましい実施態様においては、前記電解液中に、６−メチル−６−エチル−ドデカン−１，１２−ジカルボン酸（化合物４）および／またはそのアンモニウム塩、７，８−ジメチル−７，８−ジエチル−テトラデカン−１，１４−ジカルボン酸（化合物５）および／またはそのアンモニウム塩、または、７，１０−ジメチル−７−エチルヘキサデカン−１，１６−ジカルボン酸（化合物６）および／またはそのアンモニウム塩が０．５〜３０重量％含有されている。
【００１９】
好ましい実施態様においては、前記６−メチル−６−エチル−ドデカン−１，１２−ジカルボン酸（化合物４）および／またはそのアンモニウム塩、７，８−ジメチル−７，８−ジエチル−テトラデカン−１，１４−ジカルボン酸（化合物５）および／またはそのアンモニウム塩、または、７，１０−ジメチル−７−エチルヘキサデカン−１，１６−ジカルボン酸（化合物６）および／またはそのアンモニウム塩が、これらの化合物の合計量に対して、６〜１０重量％：６〜１０重量％：８０〜８８重量％の割合で含まれている。
【００２０】
また、本発明は、以下の工程：
（１）酸触媒の存在下、メタノール中でシクロヘキサノンと過酸化水素とを反応させる工程：
（２）（１）で得られる反応生成物とイソプレンとを金属塩の存在下、反応させる工程；
（３）（２）で得られる反応生成物を、必要に応じて水素還元する工程：
（４）（２）又は（３）で得られる長鎖二塩基酸エステルを蒸留し、分離する工程；及び
（５）（４）で分離した長鎖二塩基酸エステルを加水分解する工程；
を含む方法で得られる、炭素数が１６〜２２であり、少なくとも１個の４級炭素を有し、該４級炭素が２個のァルキル基を有するか、アルキル基とビニル基とを有する、長鎖二塩基酸またはその塩に関する。
【００２１】
【発明の実施の形態】
本発明の炭素数が１６〜２２であり、少なくとも１個の４級炭素を有し、該４級炭素が２個のァルキル基を有するか、アルキル基とビニル基とを有する長鎖二塩基酸（以下、本発明の長鎖二塩基酸という）またはその塩は、シクロヘキサノンとイソプレンとを反応させて得られる。例えば、以下の（１）〜（５）を含む工程で得られる。
（１）酸触媒の存在下、メタノール中でシクロヘキサノンと過酸化水素とを反応させる工程：
（２）（１）で得られる反応生成物とイソプレンとを金属塩の存在下、反応させる工程；
（３）（２）で得られる反応生成物を、必要に応じて水素還元する工程：
（４）（２）または（３）で得られる長鎖二塩基酸エステルを蒸留し、分離する工程；および
（５）（４）で分離した長鎖二塩基酸エステルを加水分解する工程。
【００２２】
この工程では、本発明の長鎖二塩基酸の混合物が含まれているので、必要に応じて、上記工程（２）で得られる生成物から溶媒（メタノール）を除去後、蒸留、精密蒸留を繰り返し、クロマトグラフィー等の分離操作にかけることにより、本発明の長鎖二塩基酸を得ることができる。
【００２３】
まず、酸触媒の存在下、メタノール中でシクロヘキサノンと過酸化水素とを反応させる。この反応は、通常冷却下、好ましくは−２０℃〜１０℃付近にて好適に進行し、短時間でこの反応は終了する。
【００２４】
シクロヘキサノンと過酸化水素との使用割合は、特に限定されないが、通常、シクロヘキサノン１００重量部（以下、単に「部」と記す）当たり、８０〜１３０部程度とするのが好ましい。
【００２５】
メタノールは、シクロヘキサノン１００部当たり、通常３００〜５００部程度、好ましくは２５０〜３７０部程度用いるのが好ましい。
【００２６】
シクロヘキサノンと過酸化水素との反応に用いる酸触媒としては、硫酸、塩酸、燐酸、トリフルオロ酢酸等を挙げることができ、この中でも硫酸および燐酸が特に好適である。酸触媒は、シクロへキサノン１００部当たり、通常、５〜１０部程度、好ましくは６〜８部程度用いるのが好ましい。
【００２７】
上記反応でシクロヘキサンメトキシヒドロぺルオキシドが生成する。この物質は単離してもよいが、特に以下の反応に悪影響を与えないので、単離することなく、反応液のまま次の反応に供してもよい。
【００２８】
次に、得られた反応液とイソプレンとを金属塩の存在下、反応させる。得られた反応液にイソプレンを加えて、攪拌下、金属塩を添加する。金属塩はそのまま用いてもよいし、予め金属塩をメタノールに出来るだけ溶解して得た金属塩の懸濁液ないし均一溶液を徐々に滴下することにより行う。
【００２９】
上記反応は、冷却下、通常−２０℃〜１０℃付近、好ましくは−１０℃〜５℃付近にて進行し、一般に０．３〜１時間程度で反応は完結する。
【００３０】
イソプレンは、シクロヘキサノン１００部当たり、７０〜１００部用いるのが好ましく、８５〜９５部程度用いるのがより好ましく、９０部程度用いるのがさらに好ましい。
【００３１】
金属塩としては、鉄、銅、コバルト、チタン、錫等の金属の硫酸塩、塩化物、アンモニウム等の塩やこれらの水和物が挙げられる。この中でも第一鉄が好適である。
【００３２】
第一鉄塩としては、例えば硫酸第一鉄、塩化第一鉄、硫酸第一鉄アンモニウム塩等やこれらの水和物等が挙げられる。これらの中でも特に硫酸第一鉄が好ましく、硫酸第一鉄は、反応後にこれを硫酸と鉄とで還元して硫酸第一鉄を回収し、再使用することが可能である。
【００３３】
金属塩は、使用したシクロヘキサノン１００部当たり、２８０〜３５０部程度、好ましくは３００〜３３０部程度用いられる。
【００３４】
イソプレンとの反応工程（２）で生じた反応生成物は、不飽和基であるビニル基を有する二塩基酸ジメチルエステル混合物である。この混合物から、蒸留、精密蒸留を繰り返すことにより、４級炭素がアルキル基とビニル基とで置換された長鎖二塩基酸のジメチルエステルである、６―メチル−６−ビニル−ドデカン−１，１２−ジカルボン酸ジメチル、７，８−ジメチル−７，８−ジビニル−テトラデカン−１，１４−ジカルボン酸ジメチル、７，１０−ジメチル−７−ビニル−９−ヘキサデセン−１，１６−ジカルボン酸ジメチルが分離される。
【００３５】
他方で、イソプレンとの反応で生じた、ビニル基を含有する長鎖二塩基酸ジメチルエステル混合物を当業者に周知の方法で水素還元すると、ビニル基が飽和された長鎖二塩基酸ジメチルエステルが得られるので、これを蒸留、精密蒸留を繰り返すことにより、４級炭素が二個のアルキル基で置換された長鎖二塩基酸、６−メチル−６−エチル−ドデカン−１，１２−ジカルボン酸ジメチル、７，８−ジメチル−７，８−ジエチル−テトラデカン−１，１４−ジカルボン酸ジメチル、または、７，１０−ジメチル−７−エチル−ヘキサデカン−１，１６−ジカルボン酸ジメチルが分離される。
【００３６】
上記方法で得られた不飽和および飽和の長鎖二塩基酸のジメチルエステルを、当業者に周知の方法で、加水分解することにより、本発明の長鎖二塩基酸が得られる。
【００３７】
上記の方法で得られた長鎖二塩基酸は、アンモニウムあるいはアミン等で、好ましくはアンモニウムで処理することにより、電解液用組成物に調製することができる。また、電解液用組成物として用いる場合、必ずしも本発明の個々の長鎖二塩基酸を単離する必要がなく、混合物のまま用いることもできる。
【００３８】
本発明の長鎖二塩基酸またはその混合物の塩は、例えば、以下のようにして作成される。本発明の長鎖二塩基酸またはその混合物を溶媒（例えば、エチレングリコール、γ−ブチロラクトン、メチルセロソルブあるいはこれらの混合物）に適当な濃度、例えば、二塩基酸あるいは二塩基酸混合物が約１０〜６ ０重量％、好ましくは約１５〜４０重量％、より好ましくは約２０重量％となるように溶解してアンモニア、アミン等を吹き込んで行う。反応は、反応液のｐＨが６〜８、好ましくは約６．５〜約７．５になったところで停止する。これにより、電解液用組成物が製造される。。
【００３９】
本発明の好適な電解液用組成物としては、６―メチル−６−ビニル−ドデカン−１，１２−ジカルボン酸（化合物１）および／またはそのアンモニウム塩、７，８−ジメチル−７，８−ジビニル−テトラデカン−１，１４−ジカルボン酸（化合物２）および／またはそのアンモニウム塩、７，１０−ジメチル−７−ビニル−９−ヘキサデセン−１，１６−ジカルボン酸（化合物３）および／またはそのアンモニウム塩、６−メチル−６−エチル−ドデカン−１，１２−ジカルボン酸（化合物４）および／またはそのアンモニウム塩、７，８−ジメチル−７，８−ジエチル−テトラデカン−１，１４−ジカルボン酸（化合物５）および／またはそのアンモニウム塩、および、７，１０−ジメチル−７−エチル−ヘキサデカン−１，１６−ジカルボン酸（化合物６）および／またはそのアンモニウム塩からなる群から選択される化合物の、１種もしくは２種以上を主たる溶質として溶解した電解液用組成物が挙げられる。
【００４０】
本発明の電解液用組成物には、従来から電解液に溶質として用いられている７−メチル−７−テトラデセン−１，１４−ジカルボン酸（以下、従来の化合物１ａということがある）、７，１２−ジメチル−７，１１−オクタデカジエン−１，１８−ジカルボン酸（以下、従来の化合物２ａということがある）、７−メチル−７−テトラデカン−１，１４−ジカルボン酸（以下、従来の化合物１ｂということがある）および７，１２−ジメチル−オクタデカン−１，１８−ジカルボン酸（以下、従来の化合物２ｂということがある）またはこれらの塩を、本発明の長鎖二塩基酸の特徴を失わせない程度に、含んでもよい。
【００４１】
電解コンデンサ駆動用電解液は、好ましくは電解用組成物を適切な溶媒、例えば、エチレングリコール、γ−ブチロラクトン、メチルセロソルブあるいはこれらの混合物などで希釈して作成される。あるいは、本発明の長鎖二塩基酸あるいは長鎖二塩基酸混合物またはこれらの塩を適切な濃度となるように上記適切な溶媒に溶解して直接作製することもできる。
【００４２】
電解コンデンサ駆動用電解液中には、本発明の長鎖二塩基酸および／またはその塩、または長鎖二塩基酸および／またはその塩の混合物が適切な濃度、例えば、０．５重量％〜約３０重量％となるように含まれる。好ましくは、約１重量％〜２５重量％、より好ましくは約２重量％〜２０重量％、さらに好ましくは約５重量％〜１２重量％含まれる。
【００４３】
より具体的には、本発明の電解コンデンサ駆動用電解液には、本発明の長鎖二塩基酸および／またはその塩として、６―メチル−６−ビニル−ドデカン−１，１２−ジカルボン酸（化合物１）および／またはそのアンモニウム塩が約０．０５〜３重量％、７，８−ジメチル−７，８−ジビニル−テトラデカン−１，１４−ジカルボン酸（化合物２）および／またはそのアンモニウム塩が約０．０５〜３重量％、７，１０−ジメチル−７−ビニル−９−ヘキサデセン−１，１６−ジカルボン酸（化合物３）および／またはそのアンモニウム塩が約０．５〜２４重量％含有されている。
【００４４】
さらに、本発明の電解コンデンサ駆動用電解液には、公知化合物である７−メチル−７−テトラデセン−１，１４−ジカルボン酸（従来の化合物１ａ）および／またはこれらのアンモニウム塩が約０．１〜３重量％、７，１２−ジメチル−７，１１−オクタデカジエン−１，１８−ジカルボン酸（従来の化合物２ａ）および／またはこれらのアンモニウム塩が約１．０〜７．０重量％含まれていてもよく、さらに、少量の一塩基酸（７−メチル−７−ノネン−１−カルボン酸）（以下、従来の化合物３ａということがある）および／またはそのアンモニウム塩が約０．２〜２．０重量％含まれていても良い。
【００４５】
また、本発明の電解コンデンサ駆動用電解液には、本発明の長鎖二塩基酸および／またはその塩として、６−メチル−６−エチル−ドデカン−１，１２−ジカルボン酸（化合物４）および／またはそのアンモニウム塩が約０．０５〜３重量％、７，８−ジメチル−７，８−ジエチル−テトラデカン−１，１４−ジカルボン酸（化合物５）および／またはそのアンモニウム塩が約０．０５〜３重量％、および、７，１０−ジメチル−７−エチル−ヘキサデカン−１，１６−ジカルボン酸（化合物６）および／またはそのアンモニウム塩が約０．５〜２４重量％含有されている。
【００４６】
さらに、本発明の電解コンデンサ駆動用電解液には、公知化合物である７−メチル−テトラデカン−１，１４−ジカルボン酸（従来の化合物１ｂ）および／またはこれらのアンモニウム塩が約０．１〜５．２重量％、７，１２−ジメチル−オクタデカン−１，１８−ジカルボン酸（従来の化合物２ｂ）および／またはこれらのアンモニウム塩が約１．０〜１２．０重量％含まれていてもよく、さらに、少量の一塩基酸（７−メチルノナン−１−カルボン酸）（以下、従来の化合物３ｂということがある）および／またはそのアンモニウム塩が約０．３〜４．０重量％含まれていても良い。
【００４７】
なお、好ましい電解コンデンサ駆動用電解液には、６―メチル−６−ビニル−ドデカン−１，１２−ジカルボン酸（化合物１）および／またはそのアンモニウム塩、７，８−ジメチル−７，８−ジビニル−テトラデカン−１，１４−ジカルボン酸（化合物２）および／またはそのアンモニウム塩、７，１０−ジメチル−７−ビニル−９−ヘキサデセン−１，１６−ジカルボン酸（化合物３）および／またはそのアンモニウム塩が、これらの化合物の合計量に対して、６〜１０重量％：６〜１０重量％：８０〜８８重量％の割合で含まれている。
【００４８】
また、好ましい電解コンデンサ駆動用電解液には、６−メチル−６−エチル−ドデカン−１，１２−ジカルボン酸（化合物４）および／またはそのアンモニウム塩、７，８−ジメチル−７，８−ジエチル−テトラデカン−１，１４−ジカルボン酸（化合物５）および／またはそのアンモニウム塩、または、７，１０−ジメチル−７−エチル−ヘキサデカン−１，１６−ジカルボン酸（化合物６）および／またはそのアンモニウム塩が、これらの化合物の合計量に対して、６〜１０重量％：６〜１０重量％：８０〜８８重量％の割合で含まれている。
【００４９】
本発明の長鎖二塩基酸を含有する電解コンデンサ駆動用電解液には、その機能を損なわない程度に、当業者が電解液に添加する添加剤が含まれてもよい。このような添加剤としては、リンゴ酸、クエン酸、グリコール酸、乳酸、タルトロン酸、サリチル酸などのオキシ酸、８−オキシキノリン、エチレンジアミンテトラ酢酸（ＥＤＴＡ）などが挙げられる。
【００５０】
このようにして得られた本発明の長鎖二塩基酸を含有する電解コンデンサ駆動用電解液は、広い温度範囲で優れた特性を示し、低温での析出が少なく、定格電圧５００Ｗへの適応も可能であり、工業的ならびに実用的価値の大なるものである。また、従来使用されている長鎖二塩基酸を添加しても本発明の長鎖二塩基酸の電気的特性の大きな低下が認められず、この点でも有用である。
【００５１】
【実施例】
以下に実施例を掲げて、本発明をより詳細に説明するが、本発明はこの実施例に限定されない。
【００５２】
（実施例Ａ：本発明の長鎖二塩基酸の製造）
攪拌機付反応容器に無水エタノール４６０ｋｇ、シクロヘキサノン１２０ｋｇ、硫酸５２ｋｇを加え、−５℃に冷却後、過酸化水素１２０ｋｇを徐々に滴下した。滴下終了後、イソプレン１０５ｋｇを加え、硫酸第一鉄７水塩３７５ｋｇを−１０℃でゆっくりと添加し、添加終了後、−１０℃で１時間、攪拌を続け、反応を終了した。反応液に大過剰の水を加え、有機層を分離し、続いて水洗を繰り返し、反応生成物を得た（収量：１８１．５ｋｇ）。
【００５３】
この反応生成物をガスクロマトグラフィーで分析した。ガスクロマトグラフィーの条件は以下の通りであった。
機器：          島津製作所  ＧＣ−７Ａ
カラム：        ＳＥ−３０、１０ｍ×０．２５ｍｍ（内径）
キャリアーガス：ヘリウム、３０ｍｌ／分
温度：          １２０−２８０℃，８℃／分
検出器：        ＦＩＤ
【００５４】
ガスクロマトグラフィーで、この生成物は、数種の化合物の混合物であることが判明したので、この混合物を、注意深く、減圧精密蒸留した。反応生成物１００ｋｇを多段式精留塔で精密分留した。分析した結果、いずれも新規な長鎖二塩基酸のジメチルエステルである、６―メチル−６−ビニル−ドデカン−１，１２−ジカルボン酸ジメチル、７，８−ジメチル−７，８−ジビニル−テトラデカン−１，１４−ジカルボン酸ジメチル、７，１０−ジメチル−７−ビニル−９−ヘキサデセン−１，１６−ジカルボン酸ジメチルが、それぞれ、１．７ｋｇ、１．６ｋｇおよび、２１ｋｇ得られた。その他に、７−メチル−７−テトラデセン−１，１４−ジカルボン酸ジメチル、７，１２−ジメチル−７，１１−オクタデカジエン−１，１８−ジカルボン酸ジメチルおよび７−メチル−７−ノネン−１−カルボン酸メチルが、それぞれ、９ｋｇ、５０ｋｇおよび１２ｋｇ得られた。
【００５５】
また、５０ｋｇの反応生成物を、常法に従って水素還元し、多段式精留塔で精密分留し、新規長鎖二塩基酸ジメチルエステルである、６−メチル−６−エチル−ドデカン−１，１２−ジカルボン酸ジメチル、７，８−ジメチル−７，８−ジエチル−テトラデカン−１，１４−ジカルボン酸ジメチル、および、７，１０−ジメチル−７−エチル−ヘキサデカン−１，１６−ジカルボン酸ジメチルが、それぞれ、１．１ｋｇ、０．７ｋｇ、および１０．５ｋｇ得られた。その他に、７−メチル−テトラデカン−１，１４−ジカルボン酸ジメチル、７，１２−ジメチル−オクタデカン−１，１８−ジカルボン酸ジメチルおよび７−メチルノナン−１−カルボン酸ジメチルが、それぞれ、４．４ｋｇ、２３．８ｋｇおよび６．３ｋｇ得られた。
【００５６】
それぞれの化合物の分析結果を以下に示す。
（１）６―メチル−６−ビニル−ドデカン−１，１２−ジカルボン酸ジメチル
【００５７】
【化１】
0004653880.tif 000002
【００５８】
BP：200‐215℃／3mmHg；
IR（cm−１）：3060，2940，1735；
MS（m／e）： 326（MH+ ）；
１H‐NMR（270MHz，CDCl３）：δ1.20−1.43（m，12H，６CH２）,  1.15（s，３Ｈ，CH３），1.56‐1.70（m，４H，２CH２CH２COOCH３），2.30（t，Ｊ＝7.3Hz，４H，２CH２COOCH３），3.66（s，６H，20CH３），6.50（m，１H，CH＝CH２），5.02  （m，２Ｈ，CH：CH２）；
１３C‐NMR（67、8MHz，CDCl３）：24、80（２CH２CH２COOCH３），26.76，28.56．28.87，29.00，29.22，32.35，33.94（ CH２COOCH３），38.09（allylic carbon），51.26（２CH３），113.8（vinylic carbon），138.17（vinylic carbon），174.11（２COOCH３）。
【００５９】
（２）７，８−ジメチル−７，８−ジビニル−テトラデカン−１，１４−ジカルボン酸ジメチル
【００６０】
【化２】
0004653880.tif 000003
【００６１】
BP：238‐250℃／3mmHg；
IR（cm −１）：3022，2925,1740；
MS（m／e）：394（MH+  ）；
１H‐NMR（270MHz,CDCl３）：δ1.20−1.45（m，８H，４CH２），0.98（s，６H，２CH３），1.62（m，４H，２CH２CH２COOCH３），2.30（t，Ｊ＝7.3Hz，４H，２CH２COOCH３），3.66（s，６H，20CH３），5.01‐5.24（c，４H，２CH＝CH２），6.45−6.75  （c，２H，２CH＝CH２）；
１３C‐NMR（67，8MHz, CDC１３）：24，80（２CH２CH２COOCH３），26.66,  28.36．28.97，29.01,  29.12，32.25，33.84（CH２COOCH３）,  38.19（allyｌicｃarbon），51.46（ ２０CH３），115.80（vinylic carbon），138．06（vinylic carbon）、173.10（２COOCH３）。
【００６２】
（３）７，１０−ジメチル−７−ビニル−９−ヘキサデセン−１，１６−ジカルボン酸ジメチル
【００６３】
【化３】
0004653880.tif 000004
【００６４】
BP：253‐265℃／3mmHg；
IR（cm −１）：3022，2925，1740；
MS（m／e）：394（MH+）；
１H−NMR（270MHz，CDCl３）：δ1.20−1.43（m，14H，７CH２）,1.56（s，３H，CH３C＝C-），1.08（s，３H，CH３），1.62（m，４H，２CH２CH２COOCH３），1.90-2.12（m，４H，２CH２），2.30（t，Ｊ＝7.3Hz， ４H，２ CH２COOCH３），3.66（s，６H，２０CH３），5.05‐5.15（c，１H，CH２−CH＝ ），5.05−5.35（C，１H，  CH＝CH２），6.35−6.55（C，２H，CH＝CH２）；
１３C‐NMR（67，8MHz，CDCl３）：24.96（C-（CH３）， 25.46（C（CH３）＝CH）,27.75,27.81，29.06，29.09，29.22，29.37，29.68，34.11，39，62，51.41（２COOCH３），114.30（CH＝CH２）,  118.70（C（CH３）＝C），138.50（CH＝CH２），145.56（ CCH３）＝C），173.10（COOCH３）。
【００６５】
（４）６−メチル−６−エチル−ドデカン−１，１２−ジカルボン酸ジメチル
【００６６】
【化４】
0004653880.tif 000005
【００６７】
BP：201‐216℃／3mmHg；
IR（cm −１）：2940，1735；
MS（m／e）：328（MH+）；
１H−NMR（270MHz，CDCl３）：δ1.20−1.43（m，14H，6CH２），1.01（s，3H，CH３），1.05（t，3H，CH２CH３），1.56-1.70（m，４H，２CH２CH２COOCH３  および2H, CH２CH３），2.30（t，Ｊ＝7.3Hz，４H，２ CH２COOCH３），3.66（s，６H，２OCH３）；
１３C‐NMR（67.8MHz，CDCl３）：24.80（２CH２CH２COOCH３），26.76, 28.56,28.87，29.00，29.22，32.35，33.94（CH２COOCH３），51.44（２OCH３）,174.20（2 COOCH３）。
【００６８】
（５）７，８−ジメチル−７，８−ジエチル−テトラデカン−１，１４−ジカルボン酸ジメチル
【００６９】
【化５】
0004653880.tif 000006
【００７０】
BP：238‐253℃／3mmHg；
IR（cm −１）：2925，1740；
MS（m／e）：396（MH+）；
１H−NMR（270MHz，CDCl３）：δ1.20−1.45（m，16H，8CH２）,0.97（s，6H，2CH３），1.10（t，6H，2CH２CH３），1.62（m，４H，２CH２CH２COOCH３），2.30（t，Ｊ＝7.3Hz，４H，２ CH２COOCH３），3.66（s，６H，２OCH３）；
１３C‐NMR（67.8MHz，CDCl３）：24.80（２CH２CH２COOCH３），26.66, 28.36，28.97，29.01，29.12，32.25，33.84（CH２COOCH３），51.28（２OCH３）,  174.11（2 COOCH３）。
【００７１】
（６）７，１０−ジメチル−７−エチル−ヘキサデカン−１，１６−ジカルボン酸ジメチル
【００７２】
【化６】
0004653880.tif 000007
【００７３】
BP：257‐265℃／3mmHg；
IR（cm −１）：2925，1740；
MS（m／e）：396（MH+）；
１H−NMR（270MHz，CDCl３）：δ1.03（d，3H，CH３）,1.07（t，3H，CH２CH３），
1.11（s，3H，CH３），1.20-2.12（m，23H，7CH２ and CH），1.62（m，4H, ２CH２CH２COOCH３），2.30(t, Ｊ＝7.3Hz，４H，２ CH２COOCH３），3.65（s，６H，２OCH３）；
１３C‐NMR（67.8MHz，CDCl３）：24.96（C-CH３）, 25.46(C(CH３)=CH),27.75,27.81，29.06，29.09，29.22，29.37, 29.68, 34.11，39.62, 51.41
（2COOCH３），174.11（COOCH３）。
【００７４】
得られた各ジメチルエステルを常法により加水分解して、いずれも新規な長鎖二塩基酸である、６―メチル−６−ビニル−ドデカン−１，１２−ジカルボン酸（化合物１）、７，８−ジメチル−７，８−ジビニル−テトラデカン−１，１４−ジカルボン酸（化合物２）、７，１０−ジメチル−７−ビニル−９−ヘキサデセン−１，１６−ジカルボン酸（化合物３）、６−メチル−６−エチル−ドデカン−１，１２−ジカルボン酸（化合物４）、７，８−ジメチル−７，８−ジエチル−テトラデカン−１，１４−ジカルボン酸（化合物５）、または、７，１０−ジメチル−７−エチル−ヘキサデカン−１，１６−ジカルボン酸（化合物６）を得た。
【００７５】
また、上記新規長鎖二塩基酸を得る過程で単離された公知の化合物のメチルエステルを加水分解して、７−メチル−７−テトラデセン−１，１４−ジカルボン酸（従来の化合物１ａ）、７，１２−ジメチル−７，１１−オクタデカジエン−１，１８−ジカルボン酸（従来の化合物２ａ）、７−メチル−７−ノネン−１−カルボン酸（従来の化合物３ａ）、７−メチル−７−テトラデカン−１，１４−ジカルボン酸（従来の化合物１ｂ）、７，１２−ジメチル−オクタデカン−１，１８−ジカルボン酸（従来の化合物２ｂ）および７−メチルノナン−１−カルボン酸（従来の化合物３ｂ）を得た。
【００７６】
（実施例Ｂ：電解コンデンサ駆動用電解液の調製と性能評価）
（実施例１〜６：電解コンデンサ駆動用電解液１〜６の調製）
上記操作で得られた新規二塩基酸である化合物１〜化合物３をそれぞれ、濃度１０重量％となるように、また、化合物４〜化合物６をそれぞれ、濃度２０重量％となるように、エチレングルコールに溶解し、これにアンモニアガスを吹き込み、ｐＨが６〜８になったところでアンモニアガスの吹き込みを停止して、各二塩基酸のアンモニウム塩を得て、それぞれ、電解コンデンサ駆動用電解液１〜６を得た。
【００７７】
（実施例７）
得られた新規二塩基酸を下記の組成比となるようにエチレングリコールに溶解して二塩基酸濃度１０重量％の溶液とした。これにアンモニアガスを吹き込み、pHが６〜８になったところでアンモニアガスの吹き込みを停止して、二塩基酸混合物のアンモニウム塩を得、電解コンデンサ駆動用電解液７を調製した。
0004653880.tif 000008
【００７８】
（実施例８）
下記の組成比となるよう新規化合物１〜３、および従来の化合物１ａをエチレングリコールに溶解して二塩基酸濃度１０重量％の溶液とした。これにアンモニアガスを吹き込み、ｐＨが６〜８になったところでアンモニアガスの吹き込みを停止して、二塩基酸混合物のアンモニウム塩を得、電解コンデンサ駆動用電解液８を得た。
0004653880.tif 000009
【００７９】
（実施例９）
下記の化合物を下記の組成比となるようにエチレングリコールに溶解して二塩基酸濃度１０重量％の溶液とした。これにアンモニアガスを吹き込み、ｐＨが６〜８になったところでアンモニアガスの吹き込みを停止して、二塩基酸混合物のアンモニウム塩を得、電解コンデンサ駆動用電解液９を得た。
0004653880.tif 000010
【００８０】
（実施例１０）
下記の化合物を下記の組成比となるようにエチレングリコールに溶解して二塩基酸濃度１０重量％の溶液とした。これにアンモニアガスを吹き込み、ｐＨが６〜８になったところでアンモニアガスの吹き込みを停止して、二塩基酸混合物のアンモニウム塩を得、電解コンデンサ駆動用電解液１０を得た。
0004653880.tif 000011
【００８１】
（実施例１１）
実施例Ａと同じ条件で、シクロヘキサノンとイソプレンとを反応させて得られた反応生成物をガスクロマトグラフィーで分析した。この反応生成物には、本発明の化合物１、化合物２、および化合物３と、従来の化合物１ａ、従来の化合物２ａおよび従来の化合物３ａのメチルエステルが含まれていた。これを常法により加水分解して、化合物１、化合物２、化合物３、従来の化合物１ａ、従来の化合物２ａおよび従来の化合物３ａを得た。それぞれの化合物を単離し、以下の組成となるようにエチレングリコールに溶解し、アンモニアガスを吹き込み、ｐＨが６〜８になったところでアンモニアガスの吹き込みを停止して、二塩基酸混合物のアンモニウム塩を得、電解コンデンサ駆動用電解液１１を得た。
0004653880.tif 000012
【００８２】
（実施例１２）
下記の化合物を下記の組成比となるようにエチレングリコールに溶解して二塩基酸濃度１０重量％の溶液とした。これにアンモニアガスを吹き込み、ｐＨが６〜８になったところでアンモニアガスの吹き込みを停止して、二塩基酸混合物のアンモニウム塩を得、電解コンデンサ駆動用電解液１２を得た。
0004653880.tif 000013
【００８３】
なお、実施例１２は、従来の電解液に少量の本発明の化合物が混合されても、改善効果が表れることを示す例である。
【００８４】
（実施例１３）
下記の化合物を下記の組成比となるようにエチレングリコールに溶解して二塩基酸濃度３重量％の溶液とした。これにアンモニアガスを吹き込み、ｐＨが６〜８になったところでアンモニアガスの吹き込みを停止して、二塩基酸混合物のアンモニウム塩を得、電解コンデンサ駆動用電解液１３を得た。
0004653880.tif 000014
【００８５】
（実施例１４）
下記の化合物を下記の組成比となるようにエチレングリコールに溶解して二塩基酸濃度２０．０重量％の溶液とした。これにアンモニアガスを吹き込み、ｐＨが６〜８になったところでアンモニアガスの吹き込みを停止して、二塩基酸混合物のアンモニウム塩を得、電解コンデンサ駆動用電解液１４を得た。
0004653880.tif 000015
【００８６】
（実施例１５）
下記の化合物を下記の組成比となるようにエチレングリコールに溶解して二塩基酸濃度２０．０重量％の溶液とした。これにアンモニアガスを吹き込み、ｐＨが６〜８になったところでアンモニアガスの吹き込みを停止して、二塩基酸混合物のアンモニウム塩を得、電解コンデンサ駆動用電解液１５を得た。
0004653880.tif 000016
【００８７】
（実施例１６）
下記の化合物を下記の組成比となるようにエチレングリコールに溶解して二塩基酸濃度２０．０重量％の溶液とした。これにアンモニアガスを吹き込み、ｐＨが６〜８になったところでアンモニアガスの吹き込みを停止して、二塩基酸混合物のアンモニウム塩を得、電解コンデンサ駆動用電解液１６を得た。
0004653880.tif 000017
【００８８】
（実施例１７）
下記の化合物を下記の組成比となるようにエチレングリコールに溶解して二塩基酸濃度２０．０重量％の溶液とした。これにアンモニアガスを吹き込み、ｐＨが６〜８になったところでアンモニアガスの吹き込みを停止して、二塩基酸混合物のアンモニウム塩を得、電解コンデンサ駆動用電解液１７を得た。
0004653880.tif 000018
【００８９】
（実施例１８）
実施例Ａと同じ条件で、シクロヘキサノンとイソプレンとを反応させて得られた反応生成物をガスクロマトグラフィーで分析した。この反応生成物には、本発明の化合物１、化合物２、および化合物３と、従来の化合物１ａ、従来の化合物２ａおよび従来の化合物３ａのメチルエステルが含まれていた。これを常法により還元し、加水分解して、化合物４、化合物５、化合物６、従来の化合物１ｂ、従来の化合物２ｂおよび従来の化合物３ｂを得た。それぞれの化合物を単離し、以下の組成で濃度２０．０重量％となるようにエチレングリコールに溶解し、アンモニアガスを吹き込み、ｐＨが６〜８になったところでアンモニアガスの吹き込みを停止して、二塩基酸混合物のアンモニウム塩を得、電解コンデンサ駆動用電解液１８を得た。
0004653880.tif 000019
【００９０】
（実施例１９）
下記の化合物を下記の組成比となるようにエチレングリコールに溶解して二塩基酸濃度１０．０重量％となるようにエチレングリコールに溶解した。これにアンモニアガスを吹き込み、ｐＨが６〜８になったところでアンモニアガスの吹き込みを停止して、二塩基酸混合物のアンモニウム塩を得、電解コンデンサ駆動用電解液１９を得た。
0004653880.tif 000020
【００９１】
なお、実施例１９は、従来の電解液に少量の本発明の化合物が混合されても、改善効果が表れることを示す例である。
【００９２】
（実施例２０）
下記の化合物を下記の組成比となるようにエチレングリコールに溶解して二塩基酸濃度１０．０重量％の溶液とした。これにアンモニアガスを吹き込み、ｐＨが６〜８になったところでアンモニアガスの吹き込みを停止して、二塩基酸混合物のアンモニウム塩を得、電解コンデンサ駆動用電解液２０を得た。
0004653880.tif 000021
【００９３】
（比較例の電解コンデンサ駆動用電解液の作製）
従来の化合物１ａ、従来の化合物２ａをそれぞれ、１０重量％となるように、そして、従来の化合物１ｂおよび従来の化合物２ｂをそれぞれ、２０重量％となるようにエチレングリコールに溶解し、アンモニアガスを吹き込み、ｐＨが６〜８になったところでアンモニアガスの吹き込みを停止して、二塩基酸混合物のアンモニウム塩を得、比較例１〜比較例４の電解コンデンサ駆動用電解液を得た。
【００９４】
以上のように、本発明の新規長鎖二塩基酸、６―メチル−６−ビニル−ドデカン−１，１２−ジカルボン酸（化合物１）および／またはその塩、７，８−ジメチル−７，８−ジビニル−テトラデカン−１，１４−ジカルボン酸（化合物２）および／またはその塩、７，１０−ジメチル−７−ビニル−９−ヘキサデセン−１，１６−ジカルボン酸（化合物３）および／またはその塩、６−メチル−６−エチル−ドデカン−１，１２−ジカルボン酸（化合物４）および／またはその塩、７，８−ジメチル−７，８−ジエチル−テトラデカン−１，１４−ジカルボン酸（化合物５）および／またはその塩、および、７，１０−ジメチル−７−エチル−ヘキサデカン−１，１６−ジカルボン酸（化合物６）および／またはその塩を含む電解液は、従来の長鎖二塩基酸を用いる電解液に比べて、高温負荷試験においても全ての特性に問題なく、改善効果が得られている。また、実施例７〜１３、１５〜２０の結果から明らかなように、本発明の長鎖二塩基酸またはその混合物に、従来から電解液として用いられている７−メチル−７−テトラデセン−１，１４−ジカルボン酸（従来の化合物１ａ）および／またはその塩、７，１２−ジメチル−７，１１−オクタデカジエン−１，１８−ジカルボン酸（従来の化合物２ａ）および／またはその塩、７−メチル−７−ノネン−１−カルボン酸（従来の化合物３ａ）および／またはその塩、７−メチル−テトラデカン−１，１４−ジカルボン酸（従来の化合物１ｂ）および／またはその塩、７，１２−ジメチル−オクタデカン−１，１８−ジカルボン酸（従来の化合物２ｂ）および／またはその塩および７−メチルノナン−１−カルボン酸（従来の化合物３ｂ）および／またはその塩が存在したとしても、高い効果を示した。
【００９５】
（電解コンデンサ駆動用電解液の評価）
上記実施例１〜２０で得られた電解コンデンサ駆動用電解液１〜２０および比較例１〜４の電解コンデンサ駆動用電解液の性能を比較した。評価は、３０℃における電導度（ｍＳ／ｃｍ）、耐電圧（Ｖｓｐ）および含水率％で行なった。結果を表１に示す。
【００９６】
【表１】
0004653880.tif 000022
【００９７】
又、いずれも低温（−１５℃）で保存しても溶質の析出は認められなかった。
【００９８】
本発明の実施例１〜２０で得られた駆動用電解液１〜２０および比較例１〜４の駆動用電解液を用いて作成した定格４００ＷＶ，２２０μＦのアルミニウム電解コンデンサを周囲温度１０５℃で３０００時間高温負荷試験した結果を表２に示す。表中の値は何れも試料数２０ヶの平均値を示す。
【００９９】
【表２】
0004653880.tif 000023
【０１００】
本発明の実施例の駆動用電解液を使用したものは全て高温負荷試験における容量変化率、tanδ、漏れ電流、外観の全てにおいて、比較例より、かなり向上しており改良効果が実証された。
【０１０１】
【発明の効果】
以上のように、本発明の新規長鎖二塩基酸、６―メチル−６−ビニル−ドデカン−１，１２−ジカルボン酸（化合物１）および／またはその塩、７，８−ジメチル−７，８−ジビニル−テトラデカン−１，１４−ジカルボン酸（化合物２）および／またはその塩、７，１０−ジメチル−７−ビニル−９−ヘキサデセン−１，１６−ジカルボン酸（化合物３）および／またはその塩、６−メチル−６−エチル−ドデカン−１，１２−ジカルボン酸（化合物４）および／またはその塩、７，８−ジメチル−７，８−ジエチル−テトラデカン−１，１４−ジカルボン酸（化合物５）および／またはその塩、および、７，１０−ジメチル−７−エチル−ヘキサデカン−１，１６−ジカルボン酸（化合物６）および／またはその塩を溶解した電解液は、広温度範囲で優れた特性を示し、電気的特性に優れており、定格電圧５００ＷＶ品への適用が可能であり、工業的ならびに実用的価値が非常に高い。